【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
複数の記録層を有する光記録媒体にレーザー光を照射することにより情報を記録する光記録装置であって、
光記録媒体毎に予め求められた、記録パワーを調整する為の標準的目標値を、光記録媒体または光記録装置から読み出す、目標値読み出し手段と、
情報記録領域を有する記録層に配置された記録パワー調整領域に試し書きをすることで、記録パワーを調整する記録パワー調整手段と、
前記記録パワー調整手段で調整された前記記録パワーを用いて、前記情報記録領域を有する記録層に情報を記録する情報記録手段と、
前記記録パワー調整領域に対応する位置の、前記情報記録手段で記録する記録層よりも、レーザー光を照射する側に位置する、１又は２以上の手前の記録層の記録状態を判断する、記録状態判断手段と、
テストパターンを記録する記録層よりも、レーザー光を照射する側に位置する、１又は２以上の手前の記録層が第１の記録状態にある場合と第２の記録状態にある場合とでの再生信号パラメータ差と、前記記録状態判断手段で判断した前記記録状態とに基づいて、前記標準的目標値を補正して補正目標値を生成する目標値補正手段とを有し、
前記記録パワー調整手段は、前記補正目標値を用いて前記記録パワーを調整する
ことを特徴とする光記録装置。
【請求項２】
再生信号パラメータ差が、前記情報記録手段で記録する光記録媒体と同じ種類の１又は２以上の光記録媒体を用いて予め求められたものであることを特徴とする請求項１に記載の光記録装置。
【請求項３】
前記テストパターンを記録する記録層よりも手前の記録層が、前記第１の記録状態にある第１の場合と、前記第２の記録状態にある第２の場合において、同一の記録パワーで各々前記テストパターンを記録したときの再生信号パラメータの差に基づき基準目標値オフセット量を求めておき、
前記記録状態判断手段は、使用する記録パワー調整領域に対応する位置の、前記情報記録手段で記録する記録層よりも手前の記録層の各々が記録済か未記録かを判断し、記録済である層の数と、未記録である層の数を求め、
前記目標値補正手段は、前記基準目標値オフセット量と、前記記録済である層の数と前記未記録である層の数の割合に応じて、前記補正目標値を決定することを特徴とする
請求項１又は２に記載の光記録装置。
【請求項４】
前記第１の記録状態は、前記手前の記録層の全てが未記録あるいは記録済となる場合であり、
前記第１の場合の、第１の再生信号パラメータと、
前記第２の場合の、第２の再生信号パラメータを求め、
前記第１の再生信号パラメータから、前記第２の再生信号パラメータを引いた差分量の半分と、前記第１の記録状態における、前記手前の記録済層の数から、前記第２の記録状態における前記手前の記録済層の数を引いた値に対する前記手前の記録層の数の比との積を、基準目標値オフセット量として求めておき、
前記目標値補正手段は、
前記記録状態判断手段で求めた、記録済である層の数から、未記録である層の数を引いた値を、前記手前の記録層の数で割った値をオフセット量補正係数として求め、
前記基準目標値オフセット量に、前記オフセット量補正係数を掛けた値を、前記標準的目標値に加算することで、前記補正目標値を求める
ことを特徴とした請求項３に記載の光記録装置。
【請求項５】
前記第１の記録状態は、前記手前の記録層の全てが記録済である状態であり、
前記第２の記録状態は、前記手前の記録層の全てが未記録である状態であり、
前記第１の場合に得られる第１の再生信号パラメータがＢＲ、
前記第２の場合に得られる第２の再生信号パラメータがＢＵである場合に、
前記基準目標値オフセット量ＢＯは、
ＢＯ＝（ＢＲ−ＢＵ）／２
で求められ、
前記記録状態判断手段で求めた、記録済である層の数がＲ、未記録である層の数がＵ、前記情報記録手段で記録する記録層よりも手前の全ての記録層の数がＮｒで表される場合に、
前記目標値補正手段は、標準的目標値をＢＴ１とした時に、前記補正目標値ＢＴ２を
ＢＴ２＝ＢＴ１＋ＢＯ×（Ｒ−Ｕ）／Ｎｒ
で求めることを特徴とする請求項３又は４に記載の光記録装置。
【請求項６】
前記再生信号パラメータは、再生信号のアシンメトリ値であることを特徴とする請求項１乃至５のいずれかに記載の光記録装置。
【請求項７】
前記再生信号パラメータは、再生信号の変調度であることを特徴とする請求項１乃至５のいずれかに記載の光記録装置。
【請求項８】
光記録媒体の種類を示す情報と共に前記基準目標値オフセット量を記憶しておく基準目標値オフセット量記憶手段を有し、
前記基準目標値オフセット量を、光記録媒体の種類毎に、予め実験により求めておき、光記録媒体の種類を示す情報と共に前記基準目標値オフセット量記憶手段で記憶しておき、
光記録媒体の種類に応じて、前記基準目標値オフセット量記憶手段で記憶した基準目標値オフセット量を読み出し、前記目標値補正手段で前記標準的目標値を補正して、前記補正目標値を生成する
ことを特徴とした請求項４乃至７のいずれかに記載の光記録装置。
【請求項９】
光記録媒体の固有情報と共に前記基準目標値オフセット量を記憶しておく基準目標値オフセット量記憶手段を有し、
前記基準目標値オフセット量を、光記録媒体の固有情報毎に、予め実験により求めておき、光記録媒体の固有情報と共に前記基準目標値オフセット量記憶手段で記憶しておき、
光記録媒体の固有情報に応じて、前記基準目標値オフセット量記憶手段で記憶した基準目標値オフセット量を読み出し、前記目標値補正手段で標準的目標値を補正して前記補正目標値を生成する
ことを特徴とした請求項４乃至７のいずれかに記載の光記録装置。
【請求項１０】
複数の記録層を有する光記録媒体にレーザー光を照射することにより情報を記録する光記録方法であって、
光記録媒体毎に予め求められた、記録パワーを調整する為の標準的目標値を、光記録媒体または光記録方法の実施に用いられる光記録装置から読み出す、目標値読み出し工程と、
情報記録領域を有する記録層に配置された記録パワー調整領域に試し書きをすることで、記録パワーを調整する記録パワー調整工程と、
前記記録パワー調整工程で調整された前記記録パワーを用いて、前記情報記録領域を有する記録層に情報を記録する情報記録工程と、
前記記録パワー調整領域に対応する位置の、前記情報記録工程で記録する記録層よりも、レーザー光を照射する側に位置する、１又は２以上の手前の記録層の記録状態を判断する記録状態判断工程と、
テストパターンを記録する記録層よりも、レーザー光を照射する側に位置する、１又は２以上の手前の記録層が第１の記録状態にある場合と第２の記録状態にある場合とでの再生信号パラメータ差と、前記記録状態判断工程で判断した前記記録状態とに基づいて、前記標準的目標値を補正して補正目標値を生成する目標値補正工程とを有し、
前記記録パワー調整工程は、前記補正目標値を用いて前記記録パワーを調整する
ことを特徴とする光記録方法。
【請求項１１】
再生信号パラメータ差が、前記情報記録工程で記録する光記録媒体と同じ種類の１又は２以上の光記録媒体を用いて予め求められたものであることを特徴とする請求項１０に記載の光記録方法。
【請求項１２】
前記テストパターンを記録する記録層よりも手前の記録層が、前記第１の記録状態にある第１の場合と、前記第２の記録状態にある第２の場合において、同一の記録パワーで各々前記テストパターンを記録したときの再生信号パラメータの差に基づき基準目標値オフセット量を求めておき、
前記記録状態判断工程は、使用する記録パワー調整領域に対応する位置の、前記情報記録工程で記録する記録層よりも手前の記録層の各々が記録済か未記録かを判断し、記録済である層の数と、未記録である層の数を求め、
前記目標値補正工程は、前記基準目標値オフセット量と、前記記録済である層の数と前記未記録である層の数の割合に応じて、前記補正目標値を決定することを特徴とする
請求項１０又は１１に記載の光記録方法。
【請求項１３】
前記第１の記録状態は、前記手前の記録層の全てが未記録あるいは記録済となる場合であり、
前記第１の場合の第１の再生信号パラメータと、
前記第２の場合の第２の再生信号パラメータを求め、
前記第１の再生信号パラメータから、前記第２の再生信号パラメータを引いた差分量の半分と、前記第１の記録状態における、前記手前の記録済層の数から、前記第２の記録状態における前記手前の記録済層の数を引いた値に対する前記手前の記録層の数の比との積を、基準目標値オフセット量として求めておき、
前記目標値補正工程は、
前記記録状態判断工程で求めた、記録済である層の数から、未記録である層の数を引いた値を、前記手前の記録層の数で割った値をオフセット量補正係数として求め、
前記基準目標値オフセット量に、前記オフセット量補正係数を掛けた値を、前記標準的目標値に加算することで、前記補正目標値を求める
ことを特徴とした請求項１２に記載の光記録方法。
【請求項１４】
前記第１の記録状態は、前記手前の記録層の全てが記録済である状態であり、
前記第２の記録状態は、前記手前の記録層の全てが未記録である状態であり、
前記第１の場合に得られる第１の再生信号パラメータがＢＲ、
前記第２の場合に得られる第２の再生信号パラメータがＢＵである場合に、
前記基準目標値オフセット量ＢＯは、
ＢＯ＝（ＢＲ−ＢＵ）／２
で求められ、
前記記録状態判断工程で求めた、記録済である層の数がＲ、未記録である層の数がＵ、前記情報記録工程で記録する記録層よりも手前の全ての記録層の数がＮｒで表される場合に、
前記目標値補正工程は、標準的目標値をＢＴ１とした時に、前記補正目標値ＢＴ２を
ＢＴ２＝ＢＴ１＋ＢＯ×（Ｒ−Ｕ）／Ｎｒ
で求めることを特徴とする請求項１２又は１３に記載の光記録方法。
【請求項１５】
前記再生信号パラメータは、再生信号のアシンメトリ値であることを特徴とする請求項１０乃至１４のいずれかに記載の光記録方法。
【請求項１６】
前記再生信号パラメータは、再生信号の変調度であることを特徴とする請求項１０乃至１４のいずれかに記載の光記録方法。
【請求項１７】
前記基準目標値オフセット量を、光記録媒体の種類毎に、予め実験により求めておき、光記録媒体の種類を示す情報と共に前記基準目標値オフセット量記憶手段で記憶しておき、
光記録媒体の種類に応じて、前記基準目標値オフセット量記憶手段で記憶した基準目標値オフセット量を読み出し、前記目標値補正工程で前記標準的目標値を補正して、前記補正目標値を生成する
ことを特徴とした請求項１３乃至１６のいずれかに記載の光記録方法。
【請求項１８】
前記基準目標値オフセット量を、光記録媒体の固有情報毎に、予め実験により求めておき、光記録媒体の固有情報と共に前記基準目標値オフセット量記憶手段で記憶しておき、
光記録媒体の固有情報に応じて、前記基準目標値オフセット量記憶手段で記憶した基準目標値オフセット量を読み出し、前記目標値補正工程で標準的目標値を補正して前記補正目標値を生成する
ことを特徴とした請求項１３乃至１６のいずれかに記載の光記録方法。
【手続補正２】
【補正対象書類名】明細書
【補正対象項目名】０００１
【補正方法】変更
【補正の内容】
【０００１】
本発明は、複数の記録層を持つ光ディスクに対して情報の記録を行うための光記録装置及び方法に関わるもので、特に記録パワーの最適化制御（ＯＰＣ：Ｏｐｔｉｍｕｍ  ｐｏｗｅｒ  ｃｏｎｔｒｏｌ）に関するものである。
【手続補正３】
【補正対象書類名】明細書
【補正対象項目名】０００７
【補正方法】変更
【補正の内容】
【０００７】
本発明の光記録装置は、
複数の記録層を有する光記録媒体にレーザー光を照射することにより情報を記録する光記録装置であって、
光記録媒体毎に予め求められた、記録パワーを調整する為の標準的目標値を、光記録媒体または光記録装置から読み出す、目標値読み出し手段と、
情報記録領域を有する記録層に配置された記録パワー調整領域に試し書きをすることで、記録パワーを調整する記録パワー調整手段と、
前記記録パワー調整手段で調整された前記記録パワーを用いて、前記情報記録領域を有する記録層に情報を記録する情報記録手段と、
前記記録パワー調整領域に対応する位置の、前記情報記録手段で記録する記録層よりも、レーザー光を照射する側に位置する、１又は２以上の手前の記録層の記録状態を判断する、記録状態判断手段と、
テストパターンを記録する記録層よりも、レーザー光を照射する側に位置する、１又は２以上の手前の記録層が第１の記録状態にある場合と第２の記録状態にある場合とでの再生信号パラメータ差と、前記記録状態判断手段で判断した前記記録状態とに基づいて、前記標準的目標値を補正して補正目標値を生成する目標値補正手段とを有し、
前記記録パワー調整手段は、前記補正目標値を用いて前記記録パワーを調整する
ことを特徴とする。